(57)【特許請求の範囲】
【請求項１】
ソース光回線終端ＯＬＴがターゲット光回線終端ＯＬＴへ、光ネットワークユニットＯＮＵが前記ターゲットＯＬＴの時間・波長分割多重方式チャネルＴＷＤＭ  ＣＨの中に調節されることを指示するための調節通知メッセージを送信することと、
前記ソースＯＬＴが、前記ターゲットＯＬＴが提供した前記ＯＮＵの調節プロセスが完成したことを指示するための調節確認メッセージを受信することと、を含み、
前記ソースＯＬＴが前記ＯＮＵへ調節命令メッセージを送信し、また、予め設定されたソースＯＬＴタイマーをスタートすることを更に含み、但し、前記調節命令メッセージは、前記ＯＮＵが前記ターゲットＯＬＴのＴＷＤＭ  ＣＨの中に調節されることを指示するためのもので、前記ソースＯＬＴタイマーは、タイムオーバーした場合に前記ＯＮＵの調節プロセスが失敗したことを指示するためのもので、前記調節命令メッセージのタイプは、物理層運行維持メッセージＰＬＯＡＭを含む光回線終端波長調節方法。
【請求項２】
前記調節通知メッセージに、前記ＯＮＵのロジック識別番号と、前記ターゲットＯＬＴのＴＷＤＭ  ＣＨのチャネル情報とが載せられる請求項１に記載の方法。
【請求項３】
前記調節命令メッセージに、前記ターゲットＯＬＴのＴＷＤＭ  ＣＨのチャネル情報と、波長調節スタート時間とが載せられる請求項１に記載の方法。
【請求項４】
前記予め設定されたタイマーがタイムオーバーした場合、前記ソースＯＬＴは、前記ターゲットＯＬＴへ調節エラーメッセージを送信することをさらに含み、調節エラーメッセージのタイプは、ＯＬＴ間通信ＩＯＣメッセージを含む請求項１に記載の方法。
【請求項５】
前記ソースＯＬＴが前記ＯＮＵからの調節拒絶メッセージを受信した場合、前記ソースＯＬＴは、前記ターゲットＯＬＴへ調節キャンセルメッセージを送信すること、又は、
前記ソースＯＬＴが前記ＯＮＵからの調節確認メッセージを受信することをさらに含み、
前記調節キャンセルメッセージのタイプは、ＯＬＴ間通信ＩＯＣメッセージを含み、
前記調節拒絶メッセージと前記調節確認メッセージのタイプは、物理層運行維持メッセージＰＬＯＡＭを含む請求項１に記載の方法。
【請求項６】
前記ソースＯＬＴが、前記ＯＮＵから送信された戻しメッセージを受信することをさらに含み、但し、前記戻しメッセージは前記ＯＮＵが調節に失敗した後にソースＯＬＴへ送信する報告であって、前記戻しメッセージのタイプは物理層運行維持メッセージＰＬＯＡＭを含む請求項１に記載の方法。
【請求項７】
前記調節通知メッセージと前記調節確認メッセージのタイプがＯＬＴ間通信ＩＯＣメッセージを含み、
前記調節命令メッセージのタイプが物理層運行維持メッセージＰＬＯＡＭを含む請求項１乃至６の中のいずれかに記載の方法。
【請求項８】
ソース光回線終端ＯＬＴに設けられる光回線終端波長調節装置であって、
ターゲット光回線終端ＯＬＴへ、光ネットワークユニットＯＮＵが前記ターゲットＯＬＴの時間・波長分割多重方式チャネルＴＷＤＭ  ＣＨの中に調節されることを指示するための調節通知メッセージを送信するように構成される第１の送信手段と、
前記ターゲットＯＬＴが提供した前記ＯＮＵの調節プロセスが完成したことを指示するための調節確認メッセージを受信するように構成される受信手段と、を含み、
前記調節する必要のあるＯＮＵへ調節命令メッセージを送信するように構成される第２の送信手段であって、前記調節命令メッセージは、前記調節する必要のあるＯＮＵを前記ターゲットＯＬＴのＴＷＤＭ  ＣＨの中に調節することを指示するためのもので、前記調節命令メッセージのタイプは、物理層運行維持メッセージＰＬＯＡＭを含む第２の送信手段と、
予め設定されたソースＯＬＴタイマーをスタートするように構成されるスタート手段であって、前記ソースＯＬＴタイマーは、タイムオーバーした場合に前記ＯＮＵの調節プロセスが失敗したことを指示するためのものであるスタート手段と、をさらに含む光回線終端波長調節装置。
【請求項９】
前記調節通知メッセージに、前記ＯＮＵのロジック識別番号と、前記ターゲットＯＬＴのＴＷＤＭ  ＣＨのチャネル情報とが載せられる請求項８に記載の装置。
【請求項１０】
前記調節命令メッセージに、前記ターゲットＯＬＴのＴＷＤＭ  ＣＨのチャネル情報と、波長調節スタート時間とが載せられる請求項８に記載の装置。
【請求項１１】
ターゲット光回線終端ＯＬＴが、ソース光回線終端ＯＬＴから送信された調節通知メッセージを受信し、また、予め設定されたターゲットＯＬＴタイマーをスタートすることであって、但し、前記調節通知メッセージは、光ネットワークユニットＯＮＵが前記ターゲットＯＬＴの時間・波長分割多重方式チャネルＴＷＤＭ  ＣＨの中に調節されることを指示するためのもので、前記ターゲットＯＬＴタイマーは、タイムオーバーした場合に前記ＯＮＵの調節プロセスが失敗したことを指示するためのものであることと、
前記ターゲットＯＬＴが前記ソースＯＬＴへ、前記ＯＮＵの調節プロセスが完成したことを指示するための調節確認メッセージを送信することと、を含む光回線終端波長調節方法。
【請求項１２】
前記調節通知メッセージに、前記調節する必要のあるＯＮＵのロジック識別番号と、前記ソースＯＬＴのＴＷＤＭ  ＣＨのチャネル情報とが載せられる請求項１１に記載の方法。
【請求項１３】
前記調節通知メッセージと前記調節確認メッセージのタイプは、ＯＬＴ間通信ＩＯＣメッセージを含む請求項１１又は１２に記載の方法。
【請求項１４】
ターゲット光回線終端ＯＬＴに設けられる光回線終端波長調節装置であって、
ソース光回線終端ＯＬＴから送信された調節通知メッセージを受信するように構成される受信手段であって、前記調節通知メッセージは、光ネットワークユニットＯＮＵが前記ターゲットＯＬＴの時間・波長分割多重方式チャネルＴＷＤＭ  ＣＨの中に調節されることを指示するためのものである受信手段と、
予め設定されたターゲットＯＬＴタイマーをスタートするように構成されるスタート手段であって、前記ターゲットＯＬＴタイマーは、タイムオーバーした場合に前記ＯＮＵの調節プロセスが失敗したことを指示するためのものであるスタート手段と、
前記ソースＯＬＴへ調節確認メッセージを送信するように構成される送信手段であって、前記調節確認メッセージは、前記ＯＮＵの調節プロセスが完成したことを指示するためのものである送信手段と、を含む光回線終端波長調節装置。
【請求項１５】
光ネットワークユニットＯＮＵが、ソース光回線終端ＯＬＴへ調節確認メッセージを送信して、調節待機状態に進入することと、
前記ＯＮＵが、前記ソースＯＬＴが指示した波長調節スタート時間に達する前に、且つ下り非同期イベントを検出した場合、間欠的非同期状態に進入し、又は、前記波長調節スタート時間に達した後、前記ＯＮＵが調節操作状態に進入することと、を含む光ネットワークユニット波長調節方法。
【請求項１６】
前記調節操作状態が終了した後、前記ＯＮＵが前記ソースＯＬＴへ、調節確認メッセージ又は戻しメッセージを送信することをさらに含み、但し、前記調節確認メッセージは、前記ＯＮＵの調節プロセスが完成したことを指示するためのもので、前記戻しメッセージは、前記ＯＮＵが調節に失敗した後にソースＯＬＴへ送信する報告である請求項１５に記載の方法。
【請求項１７】
光ネットワークユニットＯＮＵに設けられる光ネットワークユニット波長調節装置であって、
ソース光回線終端ＯＬＴへ調節確認メッセージを送信して、調節待機状態に進入するように構成される送信手段と、
前記ソースＯＬＴが指示した波長調節スタート時間に達する前に、且つ下り非同期イベントを検出した場合、間欠的非同期状態に進入し、又は、前記波長調節スタート時間に達した後、調節操作状態に進入するように構成される処理手段と、を含む光ネットワークユニット波長調節装置。
【発明の詳細な説明】
【技術分野】
【０００１】
本発明は、通信分野に関し、特に、光回線終端／光ネットワークユニット波長調節方法及び装置に関する。
【背景技術】
【０００２】
ＮＧ−ＰＯＮ２システムにおいて、複数のＴＷＤＭ（Ｔｉｍｅ−Ｗａｖｅｌｅｎｇｔｈ  Ｄｉｖｉｓｉｏｎ  Ｍｕｌｔｉｐｌｅｘｉｎｇ：時間・波長分割多重方式）チャネル（ＴＷＤＭ  ＣＨ）が存在し、各ＴＷＤＭ  ＣＨは少なくとも一つの上り波長チャネル（ＵＳ  ＣＨ）と下り波長チャネル（ＤＳ  Ｃｈａｎｎｅｌ）を有する。各ＴＷＤＭ  ＣＨにおいて少なくとも一つの受送信装置（受信機や送信機と、対応するＭＡＣ処理ロジック等を含み、既存の時分割多重化（Ｔｉｍｅ  Ｄｉｖｉｓｉｏｎ  Ｍｕｌｔｉｐｌｅｘｉｎｇ、ＴＤＭと略称）受動光ネットワーク（Ｐａｓｓｉｖｅ  Ｏｐｔｉｃａｌ  Ｎｅｔｗｏｒｋ、ＰＯＮと略称）時代の光回線終端（Ｏｐｔｉｃａｌ  Ｌｉｎｅ  Ｔｅｒｍｉｎａｌ、ＯＬＴと略称）に類似する）は、処理を行う。異なるＴＷＤＭ  ＣＨの受送信装置は、一つのＰＯＮラインカードに集積されることができれば、異なるＰＯＮラインカードに分布されることもできる。
【０００３】
多波長ＴＷＤＭ  ＰＯＮシステムにおいて、光ネットワークユニット（Ｏｐｔｉｃａｌ  Ｎｅｔｗｏｒｋ  Ｕｎｉｔ、ＯＮＵと略称）による異なるＴＷＤＭ  ＣＨでの切り替えをサポートしなければならず、且つ当該需要は多方面で、例えばＯＬＴポートの省エネー（ユーザが少ない時、ある一つのＯＬＴ受送信装置に対応するＴＷＤＭ  ＣＨで動作中のユーザを、波長切り替え方式で他のＴＷＤＭ  ＣＨに調節することで、空き状態のＯＬＴ受送信装置を閉めて、省エネーの効果を実現する）、また例えばＯＬＴの故障処理中に一つのＯＮＵを初期のＴＷＤＭ  ＣＨから他のＴＷＤＭ  ＣＨに調節して、ＯＮＵの同調能力を判定する等がある。ＯＮＵの同調中に、本質的には、現在動作中のＴＷＤＭ  ＣＨ受送信装置の通信を中断し、波長を調節して、ターゲットＴＷＤＭ  ＣＨ受送信装置との通信を構築する。従って、ＯＮＵが切り替えした後も正常に動作できるように、現在動作中のＴＷＤＭ  ＣＨ受送信装置とターゲットＴＷＤＭ  ＣＨ受送信装置との間で、通信ルートや情報交換を確保して相互理解及び業務配置の継続性を保証しなければならない。受送信装置における異なる実現形態中のこのような通信や情報交換の難易度や複雑度は異なっている：ＯＬＴ受送信装置を一つのラインカードひいては一つのモジュールの内部に集積していると、上記した通信は内部で実現するメカニズムになり、相互交換する必要がなくなり、一方、ＯＬＴ装置を異なるラインカードひいては異なるマシンフレームに分散させていると、このような通信は外部のネットワークを介して伝送しなければならず、これらのＴＷＤＭ  ＣＨ受送信装置が異なる製造者によって製造されたものであると、それらの間の理解を如何に保証するかは、研究すべき内容となった。
【０００４】
しかし、現在の既存のＴＷＤＭ  ＰＯＮ標準及び技術研究において、このような通信のために有効な通信ルートや情報交換ロジックを提供していない。
【発明の概要】
【０００５】
本発明の実施例は、少なくとも上記問題を解決できる光回線終端／光ネットワークユニット波長調節方法及び装置を提供する。
【０００６】
本発明の一実施例によると、ソース光回線終端（ＯＬＴ）がターゲット光回線終端（ＯＬＴ）へ、光ネットワークユニット（ＯＮＵ）がターゲットＯＬＴの時間・波長分割多重方式チャネル（ＴＷＤＭ  ＣＨ）の中に調節されることを指示するための調節通知メッセージを送信することと、ソースＯＬＴが、ターゲットＯＬＴが提供したＯＮＵの調節プロセスが完成したことを指示するための調節確認メッセージを受信することと、を含む光回線終端波長調節方法を提供する。
【０００７】
調節通知メッセージに、ＯＮＵのロジック識別番号と、ターゲットＯＬＴのＴＷＤＭ  ＣＨのチャネル情報とが載せられることが好ましい。
【０００８】
ソースＯＬＴがＯＮＵへ調節命令メッセージを送信し、また、予め設定されたソースＯＬＴタイマーをスタートし、但し、調節命令メッセージは、ＯＮＵがターゲットＯＬＴのＴＷＤＭ  ＣＨに調節されることを指示するためのもので、ソースＯＬＴタイマーは、タイムオーバーした場合にＯＮＵの調節プロセスが失敗したことを指示するためのもので、調節命令メッセージのタイプは、物理層運行維持メッセージＰＬＯＡＭを含むことが好ましい。
【０００９】
調節命令メッセージに、ターゲットＯＬＴのＴＷＤＭ  ＣＨのチャネル情報と、波長調節スタート時間とが載せられることが好ましい。
【００１０】
予め設定されたタイマーがタイムオーバーした場合、ソースＯＬＴが、ターゲットＯＬＴへ調節エラーメッセージを送信することをさらに含み、調節エラーメッセージのタイプはＯＬＴ間通信（ＩＯＣ）メッセージを含むことが好ましい。
【００１１】
ソースＯＬＴがＯＮＵからの調節拒絶メッセージを受信した場合、ソースＯＬＴが、ターゲットＯＬＴへ調節キャンセルメッセージを送信し、又は、ソースＯＬＴがＯＮＵからの調節確認メッセージを受信することをさらに含み、但し、調節キャンセルメッセージのタイプはＯＬＴ間通信ＩＯＣメッセージを含み、調節拒絶メッセージと調節確認メッセージのタイプは物理層運行維持メッセージ（ＰＬＯＡＭ）を含むことが好ましい。
【００１２】
ソースＯＬＴが、ＯＮＵから送信された戻しメッセージを受信することをさらに含み、但し、戻しメッセージはＯＮＵが調節に失敗した後にソースＯＬＴに送信する報告であって、戻しメッセージのタイプは物理層運行維持メッセージ（ＰＬＯＡＭ）を含むことが好ましい。
【００１３】
調節通知メッセージと調節確認メッセージのタイプがＯＬＴ間通信（ＩＯＣ）メッセージを含み、調節命令メッセージのタイプが物理層運行維持メッセージ（ＰＬＯＡＭ）を含むことが好ましい。
【００１４】
本発明の他の一実施例によると、ソース光回線終端装置（ＯＬＴ）に設けられる光回線終端波長調節装置であって、ターゲット光回線終端（ＯＬＴ）へ、光ネットワークユニット（ＯＮＵ）がターゲットＯＬＴの時間・波長分割多重方式チャネル（ＴＷＤＭ  ＣＨ）の中に調節されることを指示するための調節通知メッセージを送信するように構成される第１の送信手段と、ターゲットＯＬＴが提供したＯＮＵの調節プロセスが完成したことを指示するための調節確認メッセージを受信するように構成される受信手段と、を含む光回線終端波長調節装置を提供する。
【００１５】
調節通知メッセージへ、ＯＮＵのロジック識別番号と、ターゲットＯＬＴのＴＷＤＭ  ＣＨのチャネル情報とが載せられることが好ましい。
【００１６】
調節する必要のあるＯＮＵへ調節命令メッセージを送信するように構成される第２の送信手段であって、調節命令メッセージは、調節する必要のあるＯＮＵをターゲットＯＬＴのＴＷＤＭ  ＣＨの中に調節することを指示するためのもので、調節命令メッセージのタイプは、物理層運行維持メッセージ（ＰＬＯＡＭ）を含む第２の送信手段と、予め設定されたソースＯＬＴタイマーをスタートするように構成されるスタート手段であって、ソースＯＬＴタイマーは、タイムオーバーした場合にＯＮＵの調節プロセスが失敗したことを指示するためのものであるスタート手段と、をさらに含むことが好ましい。
【００１７】
調節命令メッセージに、ターゲットＯＬＴのＴＷＤＭ  ＣＨのチャネル情報と、波長調節スタート時間とが載せられることが好ましい。
【００１８】
本発明の他の一実施例によると、ターゲット光回線終端（ＯＬＴ）が、ソース光回線終端（ＯＬＴ）から送信された光ネットワークユニット（ＯＮＵ）がターゲットＯＬＴの時間・波長分割多重方式チャネル（ＴＷＤＭ  ＣＨ）の中に調節されることを指示するための調節通知メッセージを受信し、タイムオーバーした場合にＯＮＵの調節プロセスが失敗したことを指示するための予め設定されたターゲットＯＬＴタイマーをスタートすることと、ターゲットＯＬＴがソースＯＬＴへ、ＯＮＵの調節プロセスが完成したことを指示するための調節確認メッセージを送信することと、を含む光回線終端波長調節方法を提供する。
【００１９】
調節通知メッセージに、調節する必要のあるＯＮＵのロジック識別番号と、ソースＯＬＴのＴＷＤＭ  ＣＨのチャネル情報とが載せられることが好ましい。
【００２０】
調節通知メッセージと調節確認メッセージのタイプがＯＬＴ間通信（ＩＯＣ）メッセージを含むことが好ましい。
【００２１】
本発明の他の一実施例によると、ターゲット光回線終端装置（ＯＬＴ）に設けられる光回線終端波長調節装置であって、ソース光回線終端装置（ＯＬＴ）から送信された、光ネットワークユニット（ＯＮＵ）がターゲットＯＬＴの時間・波長分割多重方式チャネル（ＴＷＤＭ  ＣＨ）の中に調節されることを指示するための調節通知メッセージを受信するように構成される受信手段と、タイムオーバーした場合にＯＮＵの調節プロセスが失敗したことを指示するための予め設定されたターゲットＯＬＴタイマーをスタートするように構成されるスタート手段と、ソースＯＬＴへ、ＯＮＵの調節プロセスが完成したことを指示するための調節確認メッセージを送信するように構成される送信手段と、を含む光回線終端波長調節装置を提供する。
【００２２】
本発明のさらなる他の一実施例によると、光ネットワークユニット（ＯＮＵ）が、ソース光回線終端装置（ＯＬＴ）へ調節確認メッセージを送信して、調節待機状態に進入することと、ＯＮＵが、ソースＯＬＴが指示した波長調節スタート時間に達する前に且つ下り非同期イベントを検出した場合、間欠的非同期状態に進入し、又は、波長調節スタート時間に達した後、ＯＮＵが調節操作状態に進入することと、を含む光ネットワークユニット波長調節方法を提供する。
【００２３】
調節操作状態を終了した後、ＯＮＵがソースＯＬＴへ、ＯＮＵの調節プロセスが完成したことを指示するための調節確認メッセージ又は戻しメッセージを送信することをさらに含み、但し、戻しメッセージはＯＮＵが調節に失敗した後にソースＯＬＴへ送信する報告であることが好ましい。
【００２４】
本発明のさらなる他の一実施例によると、光ネットワークユニット（ＯＮＵ）に設けられる光ネットワークユニット波長調節装置であって、ソース光回線終端（ＯＬＴ）に調節確認メッセージを送信して、調節待機状態に進入するように構成される送信手段と、ソースＯＬＴが指示した波長調節スタート時間に達する前に且つ下り非同期イベントを検出した場合、間欠的非同期状態に進入し、又は、波長調節スタート時間に達した後、調節操作状態に進入するように構成される処理手段と、を含む光ネットワークユニット波長調節装置を提供する。
【００２５】
本発明によると、同時にソースＯＬＴ、ソースＯＬＴのＯＮＵ及びターゲットＯＬＴとに対応する通信ルートと情報交換ロジックを設定する方式で、今の既存のＴＷＤＭ  ＰＯＮ標準及び技術研究においてこのような通信のために有効な通信ルートと情報交換ロジックを提供していない問題を解決し、ソースＯＬＴのＯＮＵがターゲットＯＬＴのチャネルに切り替えした後も依然として正常に動作できるようにして、ＯＬＴとＯＮＵとの間の業務継続性を保持する効果を実現できる。
【図面の簡単な説明】
【００２６】
ここで説明する図面は本発明を一層理解させるためのもので、本願の一部を構成し、本発明に示す実施例及びその説明は本発明を解釈するもので、本発明を限定するものではない。
【図１】既存技術に係わるシステムフレームワークを示す図である。
【図２】本発明の実施例１に係わる光回線終端波長調節方法を示すフローチャートである。
【図３】本発明の実施例１に係わる光回線終端波長調節装置の構造を示すブロック図である。
【図４】本発明の実施例１に係わる好適な光回線終端波長調節装置の構造を示すブロック図である。
【図５】本発明の実施例２に係わる光回線終端波長調節方法を示すフローチャートである。
【図６】本発明の実施例２に係わる光回線終端波長調節装置の構造を示すブロック図である。
【図７】本発明の実施例３に係わる光ネットワークユニット波長調節方法を示すフローチャートである。
【図８】本発明の実施例３に係わる光ネットワークユニット波長調節装置の構造を示すブロック図である。
【図９】本発明の好適な実施例に係わるソースＯＬＴ１ステートマシンの状態の遷移を示す詳細なフローチャートである。
【図１０】本発明の好適な実施例に係わるソースＯＬＴ１ステートマシンの状態の遷移を示す簡略化フローチャートである。
【図１１】本発明の好適な実施例に係わるターゲットＯＬＴ１ステートマシンの状態の遷移を示すフローチャートである。
【図１２】本発明の好適な実施例に係わるＯＮＵステートマシンの状態の遷移を示すフローチャートである。
【発明を実施するための形態】
【００２７】
以下、図面を参照しつつ実施例を結合して、本発明を詳しく説明する。尚、矛盾しない限り、本願の実施例及び実施例中の特徴を互いに組み合せすることができる。
【００２８】
本発明の実施例１はソース光回線終端（ＯＬＴ）に応用できる光回線終端波長調節方法を提供する。図２は本発明の実施例１に係わる光回線終端波長調節方法を示すフローチャートで、図２に示すように、該方法は主に以下のステップを含む（ステップＳ２０２〜ステップＳ２０４）：
ステップＳ２０２において、ソース光回線終端（ＯＬＴ）が、ターゲット光回線終端（ＯＬＴ）に調節通知メッセージを送信し、但し、調節通知メッセージは、光ネットワークユニット（ＯＮＵ）がターゲットＯＬＴの時間・波長分割多重方式チャネル（ＴＷＤＭ  ＣＨ）の中に調節されることを指示するためのものである。
【００２９】
ステップＳ２０４において、ソースＯＬＴが、ターゲットＯＬＴが提供した調節確認メッセージを受信し、但し、調節確認メッセージはＯＮＵの調節プロセスが完成したことを指示するためのものである。
【００３０】
上記各ステップによって、ソースＯＬＴはＯＮＵにターゲットＯＬＴへの調節を指示する前、ターゲットＯＬＴがＯＮＵを受け付ける用意をするようにターゲットＯＬＴへ通知し、ＯＮＵがターゲットＯＬＴのチャネルに成功的に調節すると、ソースＯＬＴはターゲットからフィードバックされた調節確認メッセージに基づいてＯＮＵの調節成功を確認することができる。
【００３１】
本実施例１において、調節通知メッセージにＯＮＵのロジック識別番号とターゲットＯＬＴのＴＷＤＭ  ＣＨのチャネル情報とを載せることができる。このような方式によって、ターゲットＯＬＴはＯＮＵのロジック識別番号に基づいて対応するＯＮＵを確定することができる。
【００３２】
本実施例１において、ソースＯＬＴはさらに、ＯＮＵへ調節命令メッセージを送信し、予め設定されたソースＯＬＴタイマーをスタートすることもでき、ここで、調節命令メッセージは、ＯＮＵがターゲットＯＬＴのＴＷＤＭ  ＣＨの中に調節されることを指示するためのものであって、ソースＯＬＴタイマーは、タイムオーバーした場合にＯＮＵの調節プロセスが失敗したことを指示するためのものであって、調節命令メッセージのタイプは、物理層運行維持メッセージＰＬＯＡＭを含む。
【００３３】
本実施例１において、調節命令メッセージにターゲットＯＬＴのＴＷＤＭ  ＣＨのチャネル情報と波長調節スタート時間とを載せることができる。このような方式によって、ＯＮＵは波長調節スタート時間に基づいて波長調節を実行することができる。
【００３４】
本実施例１において、予め設定されたタイマーがタイムオーバーした場合、ソースＯＬＴはさらに、ターゲットＯＬＴへ調節エラーメッセージを送信することができ、ここで、調節エラーメッセージのタイプはＯＬＴ間通信（ＩＯＣ）メッセージを含む。なお、実際の応用において、当該メッセージタイプに限定されることはない。
【００３５】
本実施例１において、ソースＯＬＴは、ＯＮＵからの調節拒絶メッセージを受信した場合、ターゲットＯＬＴへ調節キャンセルメッセージを送信することができ、又は、ソースＯＬＴがＯＮＵからの調節確認メッセージを受信することができ、但し、調節キャンセルメッセージのタイプはＯＬＴ間通信ＩＯＣメッセージを含み、調節拒絶メッセージと調節確認メッセージのタイプは物理層運行維持メッセージ（ＰＬＯＡＭ）を含む。なお、実際の応用において、当該メッセージタイプに限定されることはない。
【００３６】
本実施例１において、ソースＯＬＴはＯＮＵから送信された戻しメッセージを受信することができ、但し、戻しメッセージはＯＮＵが調節に失敗した後にソースＯＬＴに送信する報告であって、戻しメッセージのタイプは物理層運行維持メッセージ（ＰＬＯＡＭ）を含むことができる。なお、実際の応用において、当該メッセージタイプに限定されることはない。
【００３７】
本実施例１において、調節通知メッセージと調節確認メッセージのタイプはＯＬＴ間通信（ＩＯＣ）メッセージを含むことができ、調節命令メッセージのタイプは物理層運行維持メッセージ（ＰＬＯＡＭ）を含む。なお、実際の応用において、当該メッセージタイプに限定されることはない。
【００３８】
尚、実際の応用において、上記各種のメッセージのタイプは上述したものに限定されず、他のいずれかの適切なメッセージタイプを用いることができる。
【００３９】
本発明の実施例１において、ソース光回線終端（ＯＬＴ）に設けられて図２に示す光回線終端波長調節方法を実現するための光回線終端波長調節装置を提供する。図３は本発明の実施例１に係わる光回線終端波長調節装置の構造を示すブロック図で、図３に示すように、該装置は第１の送信手段１０と受信手段２０とを含むことができる。ここで、
第１の送信手段１０はターゲット光回線終端（ＯＬＴ）へ調節通知メッセージを送信するように構成され、但し、調節通知メッセージは光ネットワークユニット（ＯＮＵ）がターゲットＯＬＴの時間・波長分割多重方式チャネル（ＴＷＤＭ  ＣＨ）の中に調節されることを指示するものである。受信手段２０はターゲットＯＬＴが提供した調節確認メッセージを受信するように構成され、但し、調節確認メッセージはＯＮＵの調節プロセスが完成したことを指示するためのものである。
【００４０】
調節通知メッセージにＯＮＵのロジック識別番号とターゲットＯＬＴのＴＷＤＭ  ＣＨのチャネル情報とが載せられることが好ましい。
【００４１】
図３に示す光回線終端波長調節装置に基づいて、本発明の実施例１においてさらに、好適な光回線終端波長調節装置を提供する。図４は本発明の実施例１に係わる好適な光回線終端波長調節装置の構造を示すブロック図で、図４に示すように、該好適な光回線終端波長調節装置は、調節する必要のあるＯＮＵへ調節命令メッセージを送信するように構成される第２の送信手段３０であって、但し、調節命令メッセージは調節する必要のあるＯＮＵがターゲットＯＬＴのＴＷＤＭ  ＣＨの中に調節されることを指示するためのものであって、調節命令メッセージのタイプは物理層運行維持メッセージ（ＰＬＯＡＭ）を含む第２の送信手段３０と、予め設定されたソースＯＬＴタイマーをスタートするように構成されるスタート手段４０であって、但し、ソースＯＬＴタイマーはタイムオーバーした場合にＯＮＵの調節プロセスが失敗したことを指示するためのものであるスタート手段４０と、をさらに含む。
【００４２】
調節命令メッセージにターゲットＯＬＴのＴＷＤＭ  ＣＨのチャネル情報と波長調節スタート時間とが載せられることが好ましい。
【００４３】
本発明の実施例２においてターゲット光回線終端（ＯＬＴ）に応用される光回線終端波長調節方法を提供する。図５は本発明の実施例２に係わる光回線終端波長調節方法を示すフローチャートで、図５に示すように、該方法は主に以下のステップを含む（ステップＳ５０２〜ステップＳ５０４）：
ステップＳ５０２において、ターゲット光回線終端（ＯＬＴ）がソース光回線終端（ＯＬＴ）から送信された調節通知メッセージを受信し、予め設定されたターゲットＯＬＴタイマーをスタートし、但し、調節通知メッセージは、光ネットワークユニット（ＯＮＵ）がターゲットＯＬＴの時間・波長分割多重方式チャネル（ＴＷＤＭ  ＣＨ）の中に調節されることを指示するためのものであって、ターゲットＯＬＴタイマーは、タイムオーバーした場合にＯＮＵの調節プロセスが失敗したことを指示するためのものである。
【００４４】
ステップＳ５０４において、ターゲットＯＬＴが、ソースＯＬＴへ調節確認メッセージを送信し、但し、調節確認メッセージはＯＮＵの調節プロセスが完成したことを指示するためのものである。
【００４５】
上記各ステップによって、ターゲットＯＬＴはタイマーをスタートした後にＯＮＵによる調節を待機し、タイマーアップする前、ＯＮＵがターゲットＯＬＴのチャネルに成功的に調節すると、ターゲットＯＬＴはソースＯＬＴに調節を完成したことを通知することができ、タイマーオーバーした後、ＯＮＵがターゲットＯＬＴのチャネルに調節していないと、ターゲットＯＬＴはＯＮＵの調節プロセスに失敗したと認定することができる。
【００４６】
本実施例２において、調節通知メッセージに、調節する必要のあるＯＮＵのロジック識別番号とソースＯＬＴのＴＷＤＭ  ＣＨのチャネル情報とを載せることができる。
【００４７】
本実施例２において、調節通知メッセージと調節確認メッセージのタイプは、ＯＬＴ間通信（ＩＯＣ）メッセージを含むことができる。なお、実際の応用において、メッセージタイプは上述したタイプに限定されない。
【００４８】
本発明の実施例２においてさらに、ターゲット光回線終端（ＯＬＴ）に設けられて、図５に示す光回線終端波長調節方法を実現するための光回線終端波長調節装置を提供する。図６は本発明の実施例２に係わる光回線終端波長調節装置の構造を示すブロック図で、図６に示すように、該装置は受信手段１０と、スタート手段２０と、送信手段３０と、を含むことができる。
【００４９】
ここで、受信手段１０はソース光回線終端装置（ＯＬＴ）から送信された調節通知メッセージを受信するように構成され、但し、調節通知メッセージは光ネットワークユニット（ＯＮＵ）がターゲットＯＬＴの時間・波長分割多重方式チャネル（ＴＷＤＭ  ＣＨ）の中に調節されることを指示するためのものである。スタート手段２０は予め設定されたターゲットＯＬＴタイマーをスタートするように構成され、但し、ターゲットＯＬＴタイマーはタイムオーバーした場合にＯＮＵの調節プロセスが失敗したことを指示するためのものである。送信手段３０はソースＯＬＴへ調節確認メッセージを送信するように構成され、但し、調節確認メッセージはＯＮＵの調節プロセスが完成したことを指示するためのものである。
【００５０】
本発明の実施例３において光ネットワークユニット（ＯＮＵ）に応用できる光ネットワークユニット波長調節方法を提供する。図７は本発明の実施例３に係わる光ネットワークユニット波長調節方法を示すフローチャートで、図７に示すように、該方法主に以下のステップを含む（ステップＳ７０２〜ステップＳ７０４）：
ステップＳ７０２において、光ネットワークユニット（ＯＮＵ）が、ソース光回線終端（ＯＬＴ）に調節確認メッセージを送信し、調節待機状態に進入する。
【００５１】
ステップＳ７０４において、ＯＮＵがソースＯＬＴが指示した波長調節スタート時間に達する前に且つ下り非同期イベントを検出した場合、間欠的非同期状態に進入し、又は、波長調節スタート時間に達した後、ＯＮＵが調節操作状態に進入する。
【００５２】
上記各ステップによって、ＯＮＵは調節プロセスを実行することができると確定した場合、異なる時刻にて、異なる条件に応じて、予め設定された異なる動作状態に進入することで、調節プロセスにおける動作の実行の便宜を図ることができる。
【００５３】
本実施例３において、調節操作状態を終了した後、ＯＮＵはさらに、ソースＯＬＴへ調節確認メッセージ又は戻しメッセージを送信することができ、但し、調節確認メッセージはＯＮＵの調節プロセスが完成したことを指示するためのものであって、戻しメッセージはＯＮＵが調節に失敗した後にソースＯＬＴに送信する報告である。
【００５４】
本発明の実施例３においてさらに、光ネットワークユニット（ＯＮＵ）に設けられて、図７に示す光ネットワークユニット波長調節方法を実現するための光ネットワークユニット波長調節装置を提供する。図８は本発明の実施例３に係わる光ネットワークユニット波長調節装置の構造を示すブロック図で、図８に示すように、該装置は送信手段１０と処理手段２０とを含む。
【００５５】
ここで、送信手段１０はソース光回線終端（ＯＬＴ）に調節確認メッセージを送信し、調節待機状態に進入するように構成される。処理手段２０は、ソースＯＬＴが指示した波長調節スタート時間に達する前に且つ下り非同期イベントを検出した場合、間欠的非同期状態に進入し、又は、波長調節スタート時間に達した後、調節操作状態に進入するように構成される。
【００５６】
上記実施例で提供した光回線終端／光ネットワークユニット波長調節方法及び装置によると、ソースＯＬＴのＯＮＵがターゲットＯＬＴのチャネルに切り替えした後も依然として正常に動作できるようにして、ＯＬＴとＯＮＵとの間の業務継続性を保持する効果を実現できる。
【００５７】
以下、図９乃至図１２と好適な実施例を結合して、上記実施例１と実施例２で提供した光回線終端波長調節方法及び装置、実施例３で提供した光ネットワークユニット波長調節方法及び装置をさらに詳しく記載して説明する。
【００５８】
（好適な実施例）
尚、以下の好適な実施例において、ＯＬＴの受送信装置による動作を、ソースＴＷＤＭ  ＣＨ  １の受送信装置（ＯＬＴ  １、波長ＣＨはＵＳＣＨ−１とＤＳＣＨ−１である）と、ターゲットＴＷＤＭ  ＣＨ受送信装置（ＯＬＴ  ２、波長ＣＨはＵＳＣＨ−２とＤＳＣＨ−２である）との二つの部分に分けて説明する。ここで、ＯＮＵ  １００はＯＬＴ１のＴＷＤＭ  ＣＨ１にて動作し、ＯＬＴ１からＯＬＴ２へ遷移するＴＷＤＭＣＨ２の命令を実行しようとしている。
【００５９】
簡単に理解させるため、ここでは以下のような明細書に用いられた文字部分及び対応する図面における省略語を説明する。
【００６０】
ＩＯＣはＩｎｔｅｒ−ＯＬＴ−Ｃｏｍｍｕｎｉｃａｔｉｏｎを省略した用語で、ＯＬＴ１とＯＬＴ２との間の通信を表す。
【００６１】
Ｔ＿ｉｎｄは、メッセージパラメーターで、波長調節要求を指す。
【００６２】
ＯＮＵ−ＩＤは、ＯＮＵのロジック識別番号で、ＯＬＴシステム（ＯＬＴ１とＯＬＴ２を含む）において唯一のものである。
【００６３】
ＳＦＣは、ｓｃｈｅｄｕｌｅｄ  Ｆｒａｍｅ  Ｃｏｕｎｔｅｒを省略した用語で、直接又は間接的な方式で、ＯＮＵが波長の調節を開始する時刻を指示し、つまり、前記ＯＮＵが予定の時間から調節を開始することを指示するためのものである。下りフレームは１フレーム毎に１２５μsであるので、フレーム番号で表す。そして、時刻を表す方式も、（ＳＦＣ=絶対値）のフレーム番号で表す（何時何分の時刻にてＯＮＵに実際の波長調節の開始を命令するを指定するに類似する）方式と、相対方式（ＯＮＵに、ある一つのフレーム番号から開始して、ＳＦＣフレームの後で波長調節を行うことを通知するに類似する）との２種類がある。このような２種類の方式中のいずれを用いることもでき、ここでは限定しない。
【００６４】
Ｔ＿Ｃは、ＯＬＴがＯＮＵへ送信される波長を調節する制御メッセージである。
【００６５】
Ｔ＿Ｒは、ＯＮＵがＯＬＴへ送信される対応するフィードバックメッセージで、載せられるコンテンツは、シーンやステップによって決められる。
【００６６】
ＣＨは、ｃｈａｎｎｅｌで、上述したＴＷＤＭチャネルであって、下り送信する場合、ＴＷＤＭ  ＣＨ中のＤＳＣＨを指すと認め、上り受信する場合はＴＷＤＭ  ＣＨ中のＵＳＣＨを指すと認める。
【００６７】
ＣＨ１は、ソースＯＬＴ１のＴＷＤＭ  ＣＨ番号を指す。
【００６８】
ＣＨ２は、ターゲットＯＬＴ２のＴＷＤＭ  ＣＨ番号を指す。
【００６９】
ＰＬＯＡＭは、ｐｈｙｓｉｃａｌ−ｌａｙｅｒ−ＯＡＭを省略した用語で、物理層運行維持メッセージである。
【００７０】
本好適な実施例において、ＯＬＴ１の場合、ステートマシンは２種類の実現方案があって、その一つは詳細方案（図９に示す方案）であって、他の一つは簡略化方案（図１０に示す方案）であって、以下それぞれ説明する。
【００７１】
ＯＬＴ２の場合、ステートマシンは一つの実現方案（図１１に示す方案）に統一させる。
【００７２】
図９は本発明の好適な実施例に係わるソースＯＬＴ１ステートマシンの状態の遷移を示す詳細なフローチャートで、図９に示すように、ステートマシンを以下のように記述することができる：
状態１００  初期：ＯＬＴ１は、関連づけられたＯＮＵのために該状態を構築する（波長調節の初期状態とする）。
【００７３】
状態１３０  内部確認：ＯＬＴ１が、ＯＬＴ２からの受信確認メッセージを待機する。
【００７４】
状態１５０  用意：ＯＬＴ１が、ＯＬＴ２からの受信確認メッセージを受信した。
【００７５】
状態２００  スタート：ＯＬＴ１が、ＯＮＵへ、所定の時刻に波長をターゲットＯＬＴ２に調節し、タイマーＴ１をスタートすることを指示するためのものである。
【００７６】
状態３００離れ：ＯＬＴ１が、ＯＮＵの波長調節結果メッセージを待機する。
【００７７】
状態４００空き：ＯＬＴ１で動作しないＯＮＵ−ＩＤのために構築したデフォルト状態である。
【００７８】
図９を参照すると、該詳細方案の動作プロセスは以下のステップを含む：
ステップ１において、ＯＬＴ１が、関連づけられたＯＮＵのために状態１００初期を構築する。
【００７９】
ステップ２において、ＯＬＴ１が、ＩＯＣ  (Ｔ＿ｉｎｄ、ＯＮＵ−ＩＤ、ターゲットＯＬＴのＴＷＤＭ  ＣＨのチャネル情報)をＯＬＴ２へ送信し、所定のＯＮＵ−ＩＤに対応するＯＮＵをＯＬＴ２の中に調節することを説明する。
【００８０】
ステップ３において、ステップ２を完成した後、ＯＬＴは状態１３０  内部確認に進入する。
【００８１】
ステップ４において、ＯＬＴ１がＯＬＴ２から送信された拒絶メッセージＩＯＣ（拒絶、ＯＮＵ−ＩＤ）を受信すると、状態１００初期に戻り、この場合調節を行うことができなかったことを表し、次回の調節操作を待機し、そして、ＯＬＴ１がＯＬＴ２から送信された確認メッセージＩＯＣ（受信の確認、ＯＮＵ−ＩＤ）を受信すると、ＯＬＴ２がＯＮＵの遷移を受け取る用意ができたことを表し、ＯＬＴ１が状態１５０用意に進入する。
【００８２】
ステップ５において、ＯＬＴ１が、ＣＨ１にてＰＬＯＡＭメッセージであるＴ＿Ｃ  (ＣＨ２、ＳＦＣ)をＯＮＵ１へ送信し、ＳＦＣに指定された予定の時刻からＣＨ２に調節して動作するように要求し、また、２００スタート状態に進入してタイマーＴ１をスタートする。
【００８３】
ステップ６において、ＯＬＴ１がＣＨ１にてＰＬＯＡＭメッセージＴ＿Ｒ(拒絶)を受信すると、又はＣＨ１にて何のＰＬＯＡＭ応答メッセージも受信できていないと、状態１００初期に戻り、この時調節に成功していないことを表し、次回の調節操作を待機し、そして、ＣＨ１にてＰＬＯＡＭメッセージＴ＿Ｒ（調節確認）を受信していると、約定した時間後（約定した時間ＳＦＣ）は状態３００離れに進入する。
【００８４】
ステップ７において、ＯＬＴ１が、ＯＬＴ２から送信されたメッセージＩＯＣ（到達確認、ＯＮＵ−ＩＤ）を受信していると、ＯＮＵが成功的にＯＬＴ２にて動作していると認めて、ＯＬＴ１は４００空き状態に進入し、反対に、ＯＬＴ１がＣＨ１にてＰＬＯＡＭメッセージＴ＿Ｒ(戻し)を受信していると、ＩＯＣ（既に戻し、ＯＮＵ−ＩＤ）をＯＬＴ２へ送信し、また、タイマーＴ１がタイムオーバーしていると、ＩＯＣ（Ａｌｅｒｔ、ＯＮＵ−ＩＤ)をＯＬＴ２へ送信して、ＯＮＵがＯＬＴ１に戻ったことを表し、ＯＬＴ２は継続して待機する必要がなくなる。
【００８５】
図１０は本発明の好適な実施例に係わるソースＯＬＴ１ステートマシンの状態の遷移を示す簡略化フローチャートで、図１０を参照すると、該簡略化方案の動作プロセスは以下のステップを含む。
【００８６】
ステップ１において、ＯＬＴ１が、関連づけられたＯＮＵのために状態１００初期を構築する。
【００８７】
ステップ２において、ＯＬＴ１が、ＩＯＣ(Ｔ＿ｉｎｄ、ＯＮＵ−ＩＤ)をＯＬＴ２へ送信して、所定のＯＮＵ−ＩＤに対応するＯＮＵをＯＬＴ２の中に調節することを説明し、また、ＣＨ１にてＰＬＯＡＭメッセージであるＴ＿Ｃ(ＣＨ２、ＳＦＣ)をＯＮＵ１へ送信して、ＳＦＣに指定された予定の時刻からＣＨ２に調節して動作するように要求し、その後、２００スタート状態に進入し、タイマーＴ１をスタートする。
【００８８】
ステップ３において、ＯＬＴ１が、ＣＨ１にてＰＬＯＡＭメッセージＴ＿Ｒ(拒絶)を受信していると、又はＣＨ１にて何のＰＬＯＡＭ応答メッセージも受信していないと、キャンセルメッセージ  ＩＯＣ（キャンセル、ＯＮＵがサポートしない又は応答無し）をＯＬＴ２へ送信して、状態１００に戻り、又は、Ｔ１がタイムアップしたがＣＨ１にて何のＰＬＯＡＭ応答メッセージを受信していないと、状態１００初期に戻り、又は、ＣＨ１にてＰＬＯＡＭメッセージＴ＿Ｒ（調節確認）を受信した後、約定した時間後（約定した時間ＳＦＣ）に状態３００に進入する。
【００８９】
ステップ４において、ＯＬＴ１が、ＯＬＴ２から送信されたメッセージＩＯＣ（到達確認、ＯＮＵ−ＩＤ）を受信すると、ＯＮＵがすでに波長調節に成功したと認めて、４００状態  空きに進入し、又は、ＯＬＴ１がＣＨ１にてＰＬＯＡＭメッセージＴ＿Ｒ(戻し)を受信すると、ＯＮＵがＣＨ１へ戻って動作していることを表すので、ＩＯＣ（すでに戻し、ＯＮＵ−ＩＤ）をＯＬＴ２に送信し、状態１００に進入し、又は、タイマーＴ１がタイムオーバーしていると、ＯＬＴ１がＩＯＣ（Ａｌｅｒｔ、ＯＮＵ−ＩＤ)をＯＬＴ２へ送信して、状態１００に進入する。
【００９０】
図１１は本発明の好適な実施例に係わるターゲットＯＬＴ１ステートマシンの状態の遷移を示すフローチャートで、図１１を参照すると、該動作プロセスは以下のステップを含む。
【００９１】
ステップ１において、ＯＬＴ２が、その動作範囲内に位置しない全てのＯＮＵ−ＩＤのために自動に状態１００空きを構築する。
【００９２】
ステップ２において、ＯＬＴ２が、ＯＬＴ１から送信されるＩＯＣ(Ｔ＿ｉｎｄ、ＯＮＵ−ＩＤ、ソースＯＬＴのＴＷＤＭ  ＣＨのチャネル情報)を受信し、状態２００に進入し、タイマーＴ２をスタートする。
【００９３】
ステップ３において、ＯＬＴ２が、ＣＨ２にてＯＮＵから送信されたＰＬＯＡＭメッセージＴ＿Ｒ(到達)を受信すると、ＣＨ２にてＰＬＯＡＭメッセージＴ＿Ｃ（完成）をＯＮＵに送信し、また、ＩＯＣ（到達確認、ＯＮＵ−ＩＤ）をＯＬＴ１へ送信して、状態１００初期に進入し、そして、タイマーＴ２がタイムオーバーすると、ＩＯＣ（Ａｌｅｒｔ、ＯＮＵ−ＩＤ)をＯＬＴ１へ送信して、ＯＬＴ２にてＯＮＵの到達情報を受信していないことを表し、状態４００  空きに戻り；又は、ＯＬＴ２がＯＮＵを拒絶すると、ＩＯＣ（拒絶、ＯＮＵ−ＩＤ）をＯＬＴ１へ送信し、ＯＬＴ２は状態４００  空きに戻り；又は、ＯＬＴ１から送信されたキャンセルメッセージ  ＩＯＣ（キャンセル、ＯＮＵがサポートしない又は応答無し）を受信すると、ＯＮＵが調節をサポートしないことを表し、ＯＬＴ２は状態４００  空きに戻り；又は、ＯＬＴ１から送信されたＩＯＣ（すでに戻し、ＯＮＵ−ＩＤ）を受信すると、ＯＮＵがすでにＯＬＴ１のＣＨ１に戻ったことを表し、この時ＯＬＴ２は状態４００  空きに戻る。
【００９４】
図１２は本発明の好適な実施例に係わるＯＮＵステートマシンの状態の遷移を示すフローチャートで、図１２を参照すると、該動作プロセスは以下のステップを含む：
ステップ１において、ＯＮＵが、正常に動作する時は調節命令を待つ状態である。
【００９５】
ステップ２において、調節命令を待つ状態において、ＯＮＵがＰＬＯＡＭメッセージであるＴ＿Ｃ(ＣＨ２、ＳＦＣ)を受信してＰＬＯＡＭメッセージＴ＿Ｒ（拒絶）を送信した時、依然として調節命令を待つ状態であって、ＯＮＵがＰＬＯＡＭメッセージであるＴ＿Ｃ(ＣＨ２、ＳＦＣ)を受信してＰＬＯＡＭメッセージＴ＿Ｒ（調節確認）を送信した時、調節待機状態に進入し、ＯＮＵが間欠的非同期イベントを検出した時、間欠的非同期状態に進入しする。
【００９６】
ステップ３において、調節待機状態において、ＯＮＵがＳＦＣにより確定された予定の時刻後に非同期になると、調節操作状態に進入し、ＳＦＣにより確定された予定の時刻前に非同期になると、間欠的非同期状態に進入する。
【００９７】
ステップ４において、調節操作状態において、ＯＮＵは調節を完成した後、ターゲットＯＬＴ２チャネルにて同期へ回復してＰＬＯＡＭメッセージＴ＿Ｒ(到達)を送信した場合も、ソースＯＬＴ１に戻って同期へ回復してＰＬＯＡＭメッセージ又はＴ＿Ｒ（戻し）を送信した場合も、その後はいずれも調節命令を待つ状態に進入する。
【００９８】
尚、上記各手段をハードウェアで実現することができ、例えば、上記各手段を含むプロセッサであることができ、又は、上記各手段をそれぞれ一つのプロセッサに設けることもできる。
【００９９】
他の一つの実施例において、上述した実施例及び好適な実施形態で説明した技術案を実行するソフトウェアを提供する。
【０１００】
また、他の一つの実施例において、上記ソフトウェアが記憶される記憶媒体を提供し、該記憶媒体は、光ディスク、フロッピ-ディスク、ハードディスク、消去や再書き込み可能なメモリを含むが、これらに限定されることはない。
【０１０１】
上述のように、本発明によると以下のような技術的効果を実現できる：本発明によると、同時にソースＯＬＴ、ソースＯＬＴのＯＮＵ及びターゲットＯＬＴに対応する通信ルートと情報交換ロジックを設定する方式で、今の既存のＴＷＤＭ  ＰＯＮ標準及び技術研究においてこのような通信のために有効な通信ルートと情報交換ロジックを提供していない問題を解決し、ソースＯＬＴのＯＮＵがターゲットＯＬＴのチャネルに切り替えした後も依然として正常に動作できるようにして、ＯＬＴとＯＮＵとの間の業務継続性を保持する効果を実現できる。
【０１０２】
上記した本発明の各手段又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、場合によっては、他の順で図に示す又は説明したステップを実行することができ、又は夫々集積回路ブロックに製作し、又はそれらの中の複数の手段又はステップを単一の集積回路ブロックに製作して実現できることは当業者にとって明らかなことである。このように、本発明は如何なる特定のハードウェアとソフトウェアの結合にも限定されない。
【０１０３】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【産業上の利用可能性】
【０１０４】
本発明の実施例によると、同時にソースＯＬＴ、ソースＯＬＴのＯＮＵ及びターゲットＯＬＴに対応する通信ルートと情報交換ロジックを設定する方式で、今の既存のＴＷＤＭ  ＰＯＮ標準及び技術研究においてこのような通信のために有効な通信ルートと情報交換ロジックを提供していない問題を解決し、ソースＯＬＴのＯＮＵがターゲットＯＬＴのチャネルに切り替えした後も依然として正常に動作できるようにして、ＯＬＴとＯＮＵとの間の業務継続性を保持する効果を実現できる。
【図１】
0006400111.tif 000002
【図２】
0006400111.tif 000003
【図３】
0006400111.tif 000004
【図４】
0006400111.tif 000005
【図５】
0006400111.tif 000006
【図６】
0006400111.tif 000007
【図７】
0006400111.tif 000008
【図８】
0006400111.tif 000009
【図９】
0006400111.tif 000010
【図１０】
0006400111.tif 000011
【図１１】
0006400111.tif 000012
【図１２】
0006400111.tif 000013